(57)【特許請求の範囲】
【請求項１】
表面にカード毎に固有の識別番号となるカード番号が付されＩＤカードを作成するＩＤカード作成工程、
所定の記入欄を備えたＩＤカード申込書の所定位置に前記ＩＤカードを添付するＩＤカード添付工程、
前記ＩＤカードに付されたカード番号を読取るＩＤカードのカード番号読取工程、
前記ＩＤカード申込書の所定位置に前記ＩＤカードのカード番号読取工程で読取ったカード番号を印字するカード番号印字工程からなることを特徴とするＩＤカード付き申込書作成方法。
【請求項２】
前記ＩＤカード付き申込書作成方法は、所望のＩＤカード付き申込書作成ラインにおいて、前記カード番号印字工程の後、前記ＩＤカード申込書に印字されたカード番号を読取り、前記ＩＤカードのカード番号読取工程で読取られたカード番号と比較し、不一致の場合、不一致信号を出力するカード番号照合工程、このカード番号照合工程で出力された不一致信号に基づいて不一致となったＩＤカード付のＩＤカード申込書を前記申込書作成ラインの途中で、排出する不良ＩＤカード申込書排出工程を有することを特徴とする前記請求項１記載のＩＤカード付き申込書作成方法。
【請求項３】
前記ＩＤカード添付工程におけるＩＤカード申込書は、連続状態で移送され、前記ＩＤカードが添付され、前記カード番号照合工程の後に、前記ＩＤカード申込書を単位毎に切断する切断工程を有するとともに、前記不良ＩＤカード申込書排出工程がこの切断工程の後に有してなることを特徴とする前記請求項２記載のＩＤカード付き申込書作成方法。
【請求項４】
前記切断工程又は、不良ＩＤカード申込書排出工程の後段に、前記ＩＤカードが添付されＩＤカード申込書を、前記ＩＤカードを内側に位置させて折り畳むＩＤカード申込書折り畳み工程を有してなることを特徴とする前記請求項３記載のＩＤカード付き申込書作成方法。
【請求項５】
前記ＩＤカードのカード番号読取工程は、あらかじめ前記ＩＤカード作成工程で付されるカード番号内にチェックデジットを付加し、カード番号読取時に、このチェックデジットに基づいて読取状態をチェック確認する演算工程を含むことを特徴とする前記請求項１又は２記載のＩＤカード付き申込書作成方法。
【請求項６】
前記ＩＤカードのカード番号読取工程は、あらかじめ前記ＩＤカード作成工程で付されるカード番号が数列情報に基づいて付され、カード番号読取時に、この数列情報に基づいて読取状態をチェック確認する演算工程を含むことを特徴とする前記請求項１又は２記載のＩＤカード付き申込書作成方法。
【発明の詳細な説明】
【０００１】
【産業上の利用分野】
本発明は、不特定顧客向けの会員勧誘において、申込み後カードの即時発行ができるＩＤカード付き申込書作成方法に関するものである。
【０００２】
【従来の技術】
近年、一般消費者向けの販売店においては、顧客の獲得競争のため、サービスの向上と事務処理の合理化を進めており、その一つとして、会員カードを申込むとその場でカードを発行し、その時から割引き等のサービスが受けられるシステムが要望され実施されている。例えば、これら会員カード等のＩＤカードの発行システムとしては、台紙にＩＤカードの発行申込書とＩＤカードを貼付し、ＩＤカードにカード番号をプリンタ等での印字に際し、申込書にもこのＩＤカードと同じカード番号を同時に印字し、会員カード発行時に、確実にＩＤカード番号の登録ができるようにした特開平７−８９２７１号が開示されている。
【０００３】
【発明が解決しようとする課題】
しかしながら、カード毎に固有の識別番号としてのカード番号等があらかじめ表示されたＩＤカードが、申込書とは別工程で作成されたり、通常のプリンタでは、カード表面に印字ができないため前記先行技術として公知の特開平７−８９２７１号のシステムには、適用されない不都合があった。そこで、別工程であらかじめ貼付を予定するカードのカード番号をシーケンスを揃えて印字したカード発行申込書（台紙等）と、あらかじめカード番号がシーケンスを揃えて印字してあるカードとを貼付加工機において貼付し、カード発行申込書（台紙等）とカードにおけるカード番号の一致（マッチング）を図りながらＩＤカード付き申込書を作成するシステムが提案されたが、作成するこのＩＤカード付き申込書の枚数が多量であると作業が複雑である上、実質的に短時間で作成することは不可能であった。
本発明は、これらの不都合を解消し、申込書とは別工程で作成されたＩＤカードやまた、通常のプリンタでは、カード表面に印字ができないＩＤカードであっても、しかもＩＤカード付き申込書の枚数が多量であっても、確実にしかも効率良く、カード毎に固有の識別番号としてのカード番号（ＩＤ番号）付きのＩＤカードと、このＩＤカードのカード番と同一のカード番号が表示された申込書が一体になったＩＤカード付き申込書作成方法を提供することを目的とするものである。
【０００４】
【課題を解決するための手段】
本発明のＩＤカード付き申込書作成方法は、例えばＩＤカード申込書が連続状態または、単位毎に形成された場合、上記の課題を達成するために、表面にカード毎に固有の識別番号となるカード番号が付されＩＤカードを作成するＩＤカード作成工程、所定の記入欄を備えたＩＤカード申込書の所定位置に前記ＩＤカードを添付するＩＤカード添付工程、前記ＩＤカードに付されたカード番号を読取るＩＤカードのカード番号読取工程、前記ＩＤカード申込書の所定位置に前記ＩＤカードのカード番号読取工程で読取ったカード番号を印字するカード番号印字工程からなるものである。
【０００５】
また、前記ＩＤカード付き申込書作成方法は、所望のＩＤカード付き申込書作成ラインを有し、前記カード番号印字工程の後、前記ＩＤカード申込書に印字されたカード番号を読取り、前記ＩＤカードのカード番号読取工程で読取られたカード番号と比較し、不一致の場合、不一致信号を出力するカード番号照合工程、このカード番号照合工程で出力された不一致信号に基づいて不一致となったＩＤカード付のＩＤカード申込書を前記申込書作成ラインの途中で、排出する不良ＩＤカード申込書排出工程を有するものであっても良い。
【０００６】
さらに本発明は、上記のＩＤカード付き申込書作成方法において、前記ＩＤカード添付工程におけるＩＤカード申込書は、連続状態で移送され、前記ＩＤカードが添付され、前記カード番号照合工程の後に、前記ＩＤカード申込書を単位毎に切断する切断工程を有するとともに、前記不良ＩＤカード申込書排出工程がこの切断工程の後に有してなるものであっても良い。
【０００７】
本発明は、上記のＩＤカード付き申込書作成方法において、前記切断工程又は、不良ＩＤカード申込書排出工程の後段に、前記ＩＤカードが添付されＩＤカード申込書を、前記ＩＤカードを内側に位置させて折り畳むＩＤカード申込書折り畳み工程を有してなるものであっても良い。
【０００８】
本発明は、上記のＩＤカード付き申込書作成方法において、ＩＤカードのカード番号読取工程は、あらかじめ前記ＩＤカード作成工程で付されるカード番号内にチェックデジットを付加し、カード番号読取時に、このチェックデジットに基づいて読取状態をチェック確認する演算工程を含むものであっても良い。
【０００９】
本発明は、上記のＩＤカード付き申込書作成方法において、前記ＩＤカードのカード番号読取工程は、あらかじめ前記ＩＤカード作成工程で付されるカード番号が数列情報に基づいて付され、カード番号読取時に、この数列情報に基づいて読取状態をチェック確認する演算工程を含むものであっても良い。
【００１０】
【発明の実施の形態】
以下、本発明のＩＤカード付き申込書作成方法を小売店での販売促進用の会員カード付き申込書を作成するＩＤカード付き申込書作成システムに適用した場合の好適な実施例を添付図面に基づいて詳細に説明する。
ここにおいて、図１はＩＤカード付き申込書作成システムの全体概略説明図、図２は図１で示したＩＤカード付き申込書作成システムのコード印字処理装置、図３は連続状態のＩＤカード申込書にＩＤカードが添付される状態を示す平面説明図、図４は図３のＸ−Ｘ線断面説明図、図５はＩＤカード付き申込書作成システムで作成された会員カード付申込書１の平面説明図である。
【００１１】
まず本発明のＩＤカード付き申込書作成システムの説明に先だって図５で示した会員カード付き申込書１を説明する。カード付き申込書１は、カード毎に固有の機械読取り情報７を表面に有するカード３が３周囲に糊ａ及び一側部に点糊ｂ、ｂを塗布し、透明フィルムｃを覆ってなるポケット９内に保持して添付されたカード保持紙片２と、申込み事項、例えば、氏名、生年月日、電話番号、住所、性別、配偶者の有無、家族、職業等の記載欄を有し、筆記によって記入される申込書４とが、筋押し線やミシン目等からなる折り部６を介して連接されており、さらにカード保持紙片２の反対側に広告情報紙片５が同様に筋押し線やミシン目等からなる折り部８を介して連接されている。尚、カード保持紙片２の裏面には、会員規約が印刷されている。
【００１２】
カード付き申込書１の使用方法は、申込者が、まずカード保持紙片２や広告情報紙片５に印刷されている申込み特典等やカード保持紙片２の裏面の会員規約の説明を見て納得した後、申込書４の所定の様式に必要事項を記入する。
【００１３】
記入が終了した後、ポケット９内から透明フィルムｃの上部の点糊ｂ、ｂを剥がし、カード３を取り出すとともに、申込書４を分離し申込みを受け付側に渡す。カード３を取り出したカード保持紙片２や広告情報紙片５は、申込者が保管する。カード３には、カード毎に固有の機械読取り情報７であるバーコードが表面に設けられており、このカード３で買い物するときに提示すれば、機械読取り情報７を読取ることでカード３の使用者を特定できるようになっている。
【００１４】
一方、カード３の即時発行時点では、使用者データがコンピュータ入力されていないため、使用者をコンピュータ上において特定することができないが、後日申込書４を入力原票として記載内容をコンピュータ入力し、申込書４の情報記載部１０に印字されたカード毎に固有の機械読取り情報７と同一の機械読取り情報を読込ませて、すでに発行したカード３と紐付けをすることで使用者をコンピュータ上において特定することができるものである。
【００１５】
なお、カード３をカード保持紙片２上に保持、添付する方法は、分離可能に接着する接着剤を用いることもできる。他に、二枚の透視可能なフィルムを疑似接着した二層フィルムを介して、分離可能に貼着してもよくカード３の添付方法は公知の添付方法が採用される。
【００１６】
さて、本発明のＩＤカード付き申込書作成システム１１は、図１乃至図４に示されるように、ＩＤカード作成工程（図示せず）で、あらかじめ表面にカード３毎に固有の識別番号となるカード番号３（コード）が付されＩＤカードを作成する。ここでカード番号３は、実施例では、バーコードで印字され、ラミネート処理されて形成されるが、必ずしもバーコードで印字されたものでなくても良く。塩化ビニールのカードにエンボス加工により、算用数字や記号等でカード番号（コード）が付されたものであっても良い。
【００１７】
次に、カード添付処理装置１３でＩＤカード添付工程が達成されるが、あらかじめ印刷され、両側に移送孔４１を穿孔したマージナル部４２を有し、巻き取られた連続ＩＤカード申込書４０が用紙給紙装置１２から供給され、この連続ＩＤカード申込書４０の各単位ＩＤカード申込書４０ａ，４０ｂ，４０ｃ・・・にカード３が添付される。このカード３の添付方法は、先ず、連続ＩＤカード申込書４０を移送しながらポケット９を形成するためにコの字状に糊ａとポケットの取出し口となる点糊ｂ，ｂを塗布し、次にカード３を連続ＩＤカード申込書４０のポケット９の内側に載置する。この時、連続ＩＤカード申込書４０又は、カード３の少なくとの一方に静電気を付与し、連続ＩＤカード申込書４０に載置したカード３が移送中ずれないようにしている。そして、されに透明フィルムｃを載置してカード３をポケット９内に保持させる。
【００１８】
尚、図３は、連続状態のＩＤカード申込書にＩＤカードが添付される状態を示す平面説明図として説明したが、この時点では、マージナル部４２は、切り落とされない。図３のマージナル部４２は、後述する切断工程で切り落とされるものであり、便宜的に表示したものである。
【００１９】
その後、図１中、コード印字処理装置１４で、ＩＤカードに付されたカード番号を読取るＩＤカードのカード番号読取工程、このＩＤカード申込書の所定位置に前記ＩＤカードのカード番号読取工程で読取ったカード番号を印字するカード番号印字工程、及びＩＤカード付き申込書に印字されたカード番号を読取り、前記ＩＤカードのカード番号読取工程で読取られたカード番号と比較し、不一致の場合、不一致情報を出力するカード番号照合工程からなる。この不一致情報は、読取り制御装置２２からプリンタ２３に出力され、不一致情報リストのレポートとして印字される。
【００２０】
具体的には、図２に示されるように用紙給紙装置１２から供給され連続状態のＩＤカード申込書１に添付されたＩＤカード３のカード番号７をカメラ２６で読取り、読取り信号がＯＣＲユニット２４に転送される。ＯＣＲユニット２４に転送された読取りデータは、カード番号印字工程として、読取り制御装置２２を介してインキジェット制御装置に転送されインクジェットヘッド２７でカード番号読取工程で読取ったカード番号１０を申込書４に印字する。２５は、マーク読取りタイミングセンサであって、読取り信号は、ＣＵＥジェネレータに送られ、この読取り信号に基づいて、カメラ２６、２８の読取りタイミング、及びインクジェットヘッド２７の印字タイミング、後述のリジェクト装置の排出タイミングを取っている。尚、図示してないが、ＩＤカード申込書の移送は、所望のエンコーダで測定され信号は、ＣＵＥジェネレータに送られ、上記のタイミング制御に利用される。
【００２１】
そして、この状態で連続状態のＩＤカード申込書１は移送され、後段のカメラ２８で申込書４に印字されたカード番号１０を読取り、読取り信号がＯＣＲユニット２４に転送される。ＯＣＲユニット２４に転送された読取りデータは、カード番号照合工程として、読取り制御装置２２の演算部でＩＤカード付き申込書に印字されたカード番号とＩＤカードのカード番号読取工程で読取られたカード番号とを比較し、不一致の場合、不一致信号を出力するようになっている。
【００２２】
このカード番号照合工程で出力された不一致信号に基づいて不一致となったＩＤカード付のＩＤカード申込書１を申込書作成ラインの途中で、排出する不良ＩＤカード申込書排出工程（図１中のリジェクト装置１８）は、本実施例では、連続状態のＩＤカード申込書１を使用しているのでたとえ不一致の場合、不一致信号を出力してもこの場では、申込書作成ラインは、停止せず、後段の図１で示されるＩＤカード申込書を単位毎に切断するカッティング装置１５を通過した後、リジェクト装置１８の位置で、照合不良の単位ＩＤカード申込書４０ａ（ｂ，ｃ・・・・）が排出される。カッティング装置１５では、ＩＤカード申込書を単位毎に（図１中１点鎖線で）切断するするとともに、マージナルブ４２が切り落とされる。
【００２３】
前記ＩＤカード添付工程におけるＩＤカード申込書は、連続状態で移送され、前記ＩＤカードが添付され、前記カード番号照合工程の後に、前記ＩＤカード申込書を単位毎に切断する切断工程を有するとともに、その後段に位置する不良ＩＤカード申込書排出工程としてリジェクト装置１８で、照合不良の単位ＩＤカード申込書４０ａ（ｂ，ｃ・・・・）が排出されるように構成されている。
【００２４】
前記切断工程（カッティング装置１５）及び、不良ＩＤカード申込書排出工程（リジェクト装置１８）の後段に、前記ＩＤカードが添付され単位毎のＩＤカード付き申込書４０ａ（ｂ，ｃ・・・・）を、前記ＩＤカードを内側に位置させて折り畳むＩＤカード申込書折り畳み工程（折り畳み装置１６）を有してなる。この折り畳み装置の後段には、カッティングされ、折り畳まれたＩＤカード付き申込書がずらした状態で重ねられ移送されるデリバリ装置が設けられている。尚、前記リジェクト装置１８は、この折り畳み装置１６の後段に設けられても良い。
【００２５】
ここで、前記ＩＤカードのカード番号読取工程は、あらかじめ前記ＩＤカード作成工程で付されるカード番号内にチェックデジットを付加し、カード番号読取時に、このチェックデジットに基づいて読取状態をチェック確認する演算工程を読取り制御装置２２の演算部に含むものである。
【００２６】
また、前記ＩＤカードのカード番号読取工程は、上記のようにカード番号内にチェックデジットを付加していない場合は、前記ＩＤカード作成工程で付されるカード番号が数列情報に基づいて付されても良い。例えば、１、２、３・・・等の整数からなる通し番号や、偶数番号、あるいは所望のアルゴリズムで形成された数列情報であっても良く、設定されたこの数列情報に基づいて読取状態をチェック確認する演算工程を含ませることで確実なカード番号照合工程を実現できるものである。
【００２７】
尚、上記ＩＤカード添付工程におけるＩＤカード申込書は、連続状態のＩＤカード申込書を使用した場合を示したが、あらかじめ単位毎に切断したＩＤカード申込書を使用することによって、カード番号照合工程の直後に不良ＩＤカード申込書排出工程（図１中のリジェクト装置１８）を位置させても良い。
【００２８】
さらに上記読取状態をチェック確認する演算工程は、カード３に付加されるカード番以外に、ＩＤカードのカード番号読取工程で読取ったカード番号をＩＤカード申込書に印字する際、チェックデジットを付加し、申込書４に印字された番号読取りの際、このチェックデジットに基づいて読取状態をチェック確認する演算工程を読取り制御装置２２の演算部を含ませても良い。
【００２９】
【発明の効果】
以上説明したように、本発明のカード付き申込書作成方法によれば、申込書とは別工程で作成されたＩＤカードやまた、通常のプリンタでは、カード表面に印字ができないＩＤカードであっても、あるいはＩＤカード付き申込書の枚数が多量であっても、確実にしかも高速に、例えば、カード毎に固有の識別番号としてのカード番号（ＩＤ番号）付きのＩＤカードと、このＩＤカードのカード番と同一のカード番号が高速プリンタで印字された申込書が一体になったＩＤカード付き申込書作成方法を提供でき、ＩＤカード配布による会員申込登録処理を正確に行える等の効果を奏する。
【図面の簡単な説明】
【図１】ＩＤカード付き申込書作成システムの全体概略説明図。
【図２】図１で示したＩＤカード付き申込書作成システムのコード印字処理装置。
【図３】連続状態のＩＤカード申込書にＩＤカードが添付される状態の平面説明図。
【図４】図３のＸ−Ｘ線断面説明図。
【図５】会員カード付申込書１の平面説明図。
【符号の説明】
１        ＩＤカード申込書
１２        用紙供給装置
１３        カード添付装置
１４        コード印字処理装置
１５        カッティング装置
１６        折り畳み装置
１７        デリバリ装置
１８        リジェクト装置
２６        カメラ
２７        インクジェットヘッド
２８        カメラ
【図１】
0003889156.tif 000002
【図２】
0003889156.tif 000003
【図３】
0003889156.tif 000004
【図４】
0003889156.tif 000005
【図５】
0003889156.tif 000006